(57)【要約】【課題】定着ランプを有効に活用し、複数枚印画時のプリント時間を短縮する。【解決手段】カラー感熱プリンタ１には、２つのプリント系１０，１１で兼用される１つの定着装置２３が設けられている。定着装置２３は、イエロー及びマゼンタの各定着ランプ３０，３１と、これらを囲むランプボックス３２とから構成される。ランプボックス３２には、イエロー定着ランプ３０の光を各搬送路１３３，２３３に照射する開口３３ａ，３３ｂと、マゼンタ定着ランプ３１の光を各搬送路１３３，２３３に照射する開口３４ａ，３４ｂとが設けられている。シャッタ３７，３８は、各定着ランプ３０，３１から放射されるイエロー及びマゼンタの各定着光を各搬送路１３３，２３３の一方に照射されるように、それぞれ対面する２つの開口を選択的に塞ぐ。熱記録及び光定着は、各プリント系１０，１１で１色分位相をずらして行われる。【選択図】　　　　図１
2004001304.tif 000002
【特許請求の範囲】
【請求項１】
光定着性を有する感熱発色層が層設された感熱記録紙を用い、この記録紙が搬送される第１及び第２の搬送路と、各配送路毎に配置され前記記録紙を加熱して画像を発色記録する熱記録手段と、各搬送路の間に配置され、前記各搬送路を通過する記録紙に対して電磁線を照射して前記記録紙を光定着させる定着ランプとからなる感熱プリンタにおいて、
前記定着ランプから放射される光を各搬送路に向けて照射する第１及び第２の照射開口を備えたランプボックスと、
前記第１及び第２の照射開口を選択的に開閉するシャッタ機構とを設けたことを特徴とする感熱プリンタ。
【請求項２】
光定着性を有する感熱発色層が層設された感熱記録紙を用い、この記録紙が搬送される第１及び第２の搬送路と、各配送路毎に配置され前記記録紙を加熱して画像を発色記録する熱記録手段と、各搬送路の間に配置され、前記各搬送路を通過する記録紙に対して電磁線を照射して前記記録紙を光定着させる定着ランプとからなる感熱プリンタにおいて、
前記定着ランプから放射される光を照射する照射開口を備え、前記照射開口が前記第１の搬送路と対面する第１の位置と、前記照射開口が前記第２の搬送路と対面する第２の位置との間で変異自在なランプハウジングを設けたことを特徴とする感熱プリンタ。
【発明の詳細な説明】
【０００１】
【発明の属する技術分野】
本発明は、１つの装置にて、２枚の感熱記録紙を発色記録及び定着する感熱プリンタに関するものである。
【０００２】
【従来の技術】
カラー感熱プリンタでは、カラー感熱記録紙とサーマルヘッドとを相対移動させながら、３色面順次でフルカラー画像を発色記録する。このカラー感熱記録紙は、支持体上にシアン感熱発色層，マゼンタ感熱発色層，イエロー感熱発色層が順次層設されており、最上層となるイエロー感熱発色層の熱感度が最も高く、最下層となるシアン感熱発色層の熱感度が最も低い。
【０００３】
各感熱発色層は、最上層から順番に記録されるが、マゼンタ感熱発色層の記録の際に、イエロー感熱発色層内の未発色成分が発色しないように、イエロー画像の記録後に光定着器から電磁線例えば紫外線を照射して光定着する。同様に、シアン感熱発色層の記録前に、マゼンタ感熱発色層に紫外線を照射して光定着する。
【０００４】
本出願人による特願２００１−０９０５６９号の発明では、同時に２枚の印画ができるカラー感熱プリンタが提案されている。このカラー感熱プリンタは、第１及び第２のプリント系を備えている。第１及び第２のプリント系は、それぞれカラー感熱記録紙を搬送する搬送路を備えており、各搬送路上にはそれぞれサーマルヘッドが配置されている。
【０００５】
そして、各搬送路の間には、定着ランプと、この定着ランプの周囲を取り囲むランプボックスとから構成された１つの定着装置が設けられている。ランプボックスには、各搬送路へ照射するための複数の照射開口が形成されており、これら各照射開口から、各搬送路へ同時に定着光を照射することで、各搬送路を通過する２枚のカラー感熱記録紙に対して同時に光定着が行えるようにしている。このように、１つの定着装置を２つのプリント系で兼用することで、定着ランプを有効活用している。
【０００６】
【発明が解決しようとする課題】
しかしながら上記のカラー感熱プリンタは、２枚の印画を行う際、定着ランプの光を２つの搬送路に向けて同時に照射しているため、１つの搬送路に照射される光量が約半分になってしまう。そこで、十分な定着光量を確保するためには、カラー感熱記録紙の搬送速度を低下させる必要があるが、そうすると、定着時間が長時間化してしまうという問題が生じる。
【０００７】
本発明は、上記の事情を考慮してなされたもので、２枚のプリントを同時に行う場合に、プリント時間を長時間化させることなく、定着ランプを有効に活用することができる感熱プリンタを提供することを目的とする。
【０００８】
【課題を解決するための手段】
上記目的を達成するために、本発明の感熱プリンタは、光定着性を有する感熱発色層が層設された感熱記録紙を用い、この記録紙が搬送される第１及び第２の搬送路と、各配送路毎に配置され前記記録紙を加熱して画像を発色記録する熱記録手段と、各搬送路の間に配置され、前記各搬送路を通過する記録紙に対して電磁線を照射して前記記録紙を光定着させる定着ランプとからなる感熱プリンタにおいて、前記定着ランプから放射される光を各搬送路に向けて照射する第１及び第２の照射開口を備えたランプボックスと、前記第１及び第２の照射開口を選択的に開閉するシャッタ機構とを設けたことを特徴とするものである。
【０００９】
また、本発明の別の感熱プリンタは、光定着性を有する感熱発色層が層設された感熱記録紙を用い、この記録紙が搬送される第１及び第２の搬送路と、各配送路毎に配置され前記記録紙を加熱して画像を発色記録する熱記録手段と、各搬送路の間に配置され、前記各搬送路を通過する記録紙に対して電磁線を照射して前記記録紙を光定着させる定着ランプとからなる感熱プリンタにおいて、前記定着ランプから放射される光を照射する照射開口を備え、前記照射開口が前記第１の搬送路と対面する第１の位置と、前記照射開口が前記第２の搬送路と対面する第２の位置との間で変異自在なランプハウジングを設けたことを特徴とするものである。
【００１０】
【発明の実施の形態】
図１に示す感熱プリンタ１は、第１プリント系１０と第２プリント系１１との２つのプリント系を備えている。この感熱プリンタ１は、各プリント系１０，１１の一方のみを動作させて、１枚ずつ印画を行う１枚印画モードと、両方のプリント系をほぼ同時に動作させて、２枚ずつ印画を行う２枚印画モードとを備えている。１枚印画モードの時は、例えば、第１プリント系１０が使用される。２枚印画モードの時は、第１プリント系１０と第２プリント系１１の位相をずらし、平行して印画が行われる。定着装置２９は、各プリント系１０，１１の搬送路の間に配置されており、２枚印画モードの時には、前記定着装置が２つのプリント系１０，１１で兼用される。
【００１１】
第１プリント系１０には記録紙ロール１１０がセットされ、記録紙ロール１１０からカラー感熱記録紙１１１が引き出される。カラー感熱記録紙１１１は、その記録面を上向きにして給紙される。図２に示すように、カラー感熱記録紙１１１は、支持体２０の上に、シアン感熱発色層２１，マゼンタ感熱発色層２２，イエロー感熱発色層２３，保護送２４を順に層設して構成される。各感熱発色層２１〜２３は、熱記録される順番に表面側から層設されており、例えば、マゼンタ，イエロー，シアンの順番に熱記録する場合には、イエロー感熱発色層２３とマゼンタ感熱発色層２２との位置が入れ換えられる。また、各層の間には、図示しない中間層が設けられている。
【００１２】
イエロー感熱発色層２３は、発光ピークが４２０ｎｍ付近の近紫外線（以下、紫外線という）が照射されたときに発色能力を消失する。また、マゼンタ感熱発色層２２は、発光ピークが３６５ｎｍ付近の紫外線が照射されたときに発色能力を消失する。
【００１３】
カラー感熱記録紙１１１は、ピンチローラ１１４ａとキャプスタンローラ１１４ｂとからなる搬送ローラ対１１４によってニップされ、記録紙ロール１１０から引き出されて排紙通路１１５側へ向かう順方向と、排紙通路１１５側から記録紙ロール１１０へ巻き戻される逆方向とに交互に搬送される。この搬送ローラ対１１４及び記録紙ロール１１０は、駆動モータ１１６によって駆動されて回転する。
【００１４】
搬送ローラ対１１４の順方向下流側には、プラテンローラ１１７と、この上に支持されたカラー感熱記録紙１１１と当接して、これを加熱することで画像を熱記録するサーマルヘッド１１８とが設けられている。サーマルヘッド１１８は、周知のように、多数の発熱素子をライン状に配列したものであり、熱記録すべき色、及びその発色濃度に応じた熱エネルギーを発生する。
【００１５】
サーマルヘッド１１８は、カラー感熱記録紙１１１を順方向に搬送させながら、イエロー（Ｙ），マゼンタ（Ｍ），シアン（Ｃ）の各画像を面順次に熱記録する。まず、カラー感熱記録紙１１１を順方向へ搬送させながらＹ画像が熱記録される。Ｙ画像が記録された記録済み部分は順次定着装置２９へ送られてＹ感熱発色層２３が光定着される。記録エリアの後端までＹ画像の熱記録及び光定着が終了すると、駆動モータ１１６が逆回転してカラー感熱記録紙１１１が巻き戻される。そして、記録エリアの前端がサーマルヘッド１１８に達したところで巻き戻しが停止されて、２回目の順方向への搬送が開始される。
【００１６】
この搬送中にＭ画像の熱記録と、Ｍ画像が熱記録されたＭ感熱発色層２２に対して光定着がなされる。Ｍ画像の熱記録及び光定着が終了すると、再びカラー感熱記録紙１１１が巻き戻される。３回目の順方向への搬送中にＣ画像が熱記録される。これにより、記録エリアにフルカラー画像が記録される。シアン感熱発色層２１は、最下層にあるため光定着の必要はないので、シアン画像の熱記録が終了した記録済み部分は、そのまま排紙通路１１５へ送りだされる。排紙通路１１５に送り出された記録済み部分は図示しないカッタによってカットされて排紙される。
【００１７】
第２プリント系１１も第１プリント系１０と同様な構成をしている。この第２プリント系１１の各部材には、第１プリント系１０に対応するように符号を付してある。なお、各カラー感熱記録紙１１１，２１１は、互いの記録面が対面する向きにそれぞれ給紙される。各サーマルヘッド１１８，２１８は、それぞれ、給紙された各カラー感熱記録紙１１１，２１１の記録面と対向するように配置されている。
【００１８】
第１プリント系１０には、サーマルヘッド１１８と排紙通路１１５との間には、搬送路１３３を構成するペーパーガイドが配置されている。ペーパーガイドは、例えば、断面がコ字形の１対のガイド部材からなり、これらガイド部材でカラー感熱記録紙１１０の両側端部を支持する。第２プリント系１１の搬送路２３３も、同様のペーパーガイドで構成される。
【００１９】
図３で示すように、定着装置２９は、これら各搬送路１３３，２３３の間に配置されている。この定着装置２９は、Ｙ用定着ランプ３０，Ｙ用定着ランプ３１，ランプボックス３２を備えている。ランプボックス３２には、上端と下端とが開口した角筒状のランプ室３３，３４が形成されている。各ランプ室３３，３４は、内面が反射面になっている。ランプ室３３のほぼ中央には、Ｙ用定着ランプ３０が配置されている。同様に、ランプ室３４のほぼ中央には、Ｍ用定着ランプ３１が配置されている。
【００２０】
Ｙ用定着ランプ３０は、カラー感熱記録紙１１０の搬送方向（副走査方向）と直交する方向（主走査方向）に延びており、発光ピークが４２０ｎｍの波長域の近紫外線であるＹ定着光を放射して、Ｙ感熱発色層２３を光定着する。同様に、Ｍ用定着ランプ３１も、主走査方向に延びており、発光ピークが３６５ｎｍの波長域の紫外線であるマゼンタ定着光を放射して、Ｍ感熱発色層２２を光定着する。
【００２１】
ランプ室３３の下方の開口は、Ｙ用定着ランプ３０より放射されたＹ定着光を、第１プリント系１０に向けて照射するためのＹ用第１開口３３ａであり、上方の開口は、第２プリント系１１に向けて照射するためのＹ用第２開口３３ｂである。同様に、ランプ室３４には、Ｍ用定着ランプ３１より放射されたＭ定着光を、第１プリント系１０に向けて照射するためのＭ用第１開口３４ａと、第２プリント系１１に向けて照射するＭ用第２開口３４ｂが設けられている。
【００２２】
定着装置２９は、第１プリント系１０と第２プリント系１１とで兼用される。しかし、各定着ランプ３０，３１から発光される光を、ランプボックス３２の上下の開口から、各搬送路１３３，２３３に同時に照射すると、各搬送路１３３，２３３に照射される光量が半分になってしまう。そこで、ランプボックス３２の上方と下方には、それぞれシャッタ３７，３８が設けられており、これらのシャッタ３７，３８で、各ランプ室３３，３４の上下の開口を選択的に開閉して、各定着ランプ３０，３１から放射される光が各搬送路１３３，２３３のいずれか一方に照射されるようにしている。
【００２３】
シャッタ３７は、Ｙ用第１開口３３ａを開放して、Ｍ用第１開口３４ａを閉じるＹ定着位置と、Ｙ用第１開口３３ａを閉じて、Ｍ用第１開口３４ａを開放するＭ定着位置との間をスライド自在に設けられており、Ｙ用第１開口３３ａとＭ用第１開口３４ａとを選択的に開閉する。他方、シャッタ３８は、Ｙ用第２開口３３ｂを開放して、Ｍ用第２開口３４ｂを閉じるＹ定着位置と、Ｙ用第２開口３３ｂを閉じて、Ｍ用第２開口３４ｂとを閉じるＭ定着位置との間をスライド自在に設けられており、Ｙ用第２開口３３ｂとＭ用第２開口３４ｂとを選択的に開閉する。
【００２４】
これら各シャッタ３７，３８は、連動しており、シャッタ３７がＹ用第１開口３３ａを開放するときには、シャッタ３８がＹ用第２開口３３ｂを閉じ、他方、シャッタ３７がＭ用第１開口３４ａを開放するときには、シャッタ３８がＭ用第２開口３４ｂを閉じる。
【００２５】
このように、各ランプ室３３，３４のそれぞれ２つの各開口が選択的に開閉されるので、各定着ランプ３０，３１からの光が一方の搬送路に向けて照射される。さらに、各シャッタ３７，３８は、ランプボックス３２と対向する面が反射面となっており、各定着ランプ３０，３１から放射された光を、開放されている各開口に向けて反射する。これにより、従来のように２つのプリント系１０，１１に対して同時に定着光を照射する場合に比べて、１つのプリント系に照射される光量がおおよそ２倍となるので、定着光量が不足してしまうようなことはない。
【００２６】
また、各シャッタ３７，３８は、Ｙ用及びＭ用の一方の開口を開放するときには、他方を閉じるので、各定着ランプ３０，３１の両方が点灯している場合でも、各搬送路１３３，２３３にＹ定着光とＭ定着光の両方が同時に照射されてしまうようなことはない。
【００２７】
図４で示すように、各シャッタ３７，３８は、それぞれモータ３７０，３８０によって駆動される。プリンタの制御部５２は、各モータ３７０，３８０を通じて各開口が開閉されるタイミングを制御する。なお、本例では、各シャッタ３７，３８毎にモータを設けた例で説明しているが、１つのモータと、このモータの駆動力を各シャッタに伝達する伝達機構とを設けて２つのシャッタを駆動するようにしてもよい。
【００２８】
また、各ランプ室３３，３４のＹ及びＭの各色用の２つの開口は選択的に開閉されるから、第１及び第２の２つのプリント系１０，１１で同時にイエロー又はマゼンタの光定着をすることはできない。そこで、２枚印画モードでプリントをする場合には、第１プリント系１０と第２プリント系１１の位相を１色分ずらしている。
【００２９】
図５は、２枚印画モードのときの各プリント系１０，１１のプリント手順を示すチャートである。各シャッタ３７，３８の初期位置は、シャッタ３７がＹ定着位置に、シャッタ３８がＭ定着位置に設定されている。
【００３０】
まず、第１プリント系１０で先にプリント処理が開始されて、カラー感熱記録紙１１０が給紙される。サーマルヘッド１１８によってＹ画像の熱記録が開始されると同時にＹ用定着ランプ３０が点灯する。Ｙ用第１開口３３ａは開放されているから、カラー感熱記録紙１１０の記録済み部分から順次イエローの光定着がなされる。イエローの熱記録及び光定着が終了すると、Ｙ用定着ランプ３０がいったん消灯し、カラー感熱記録紙１１０がいったん巻き戻される。
【００３１】
この巻き戻し中に、モータ３７０，３８０が回転して、シャッタ３７をＭ定着位置へ移動し、シャッタ３８をＹ定着位置へ移動する。そして、巻き戻しが終了すると、第１プリント系１０でＭ画像の熱記録が開始されると同時に、第２プリント系１１でＹ画像の熱記録が開始される。熱記録の開始と同時に、Ｙ用定着ランプ３０及びＭ用定着ランプ３１の両方が点灯する。
【００３２】
シャッタ３７は、Ｍ定着位置にあるので、第１プリント系１０では、記録済み部分が順次第１Ｍ用開口３４ａに送られてマゼンタの光定着がなされる。他方、シャッタ３８は、Ｙ定着位置にあるので、第２プリント系１１では、記録済み部分が順次第２Ｙ用開口３３ｂに送られてイエローの光定着がなされる。
【００３３】
第１プリント系１０でマゼンタの熱記録及び光定着が終了すると、Ｍ用定着ランプ３１が消灯して、カラー感熱記録紙１１１が巻き戻され、他方、第２プリント系１１でイエローの熱記録及び光定着が終了すると、Ｙ用定着ランプ３０が消灯して、カラー感熱記録紙２１１が巻き戻される。この巻き戻し途中に、シャッタ３７がＹ定着位置へ、シャッタ３８がＭ定着位置へ戻される。そして、第１プリント系ではシアン画像の熱記録が開始され、他方、第２プリント系１１では、マゼンタ画像の熱記録及び光定着が開始される。
【００３４】
このとき、第１プリント系１０及び第２プリント系１１のいずれもイエローの定着が終了しているので、Ｙ定着ランプ３０は点灯せず、Ｍ定着ランプ３１のみ点灯する。また、第１プリント系１０のカラー感熱記録紙１１１は、第１Ｙ用開口３３ａを通過するが、Ｙ定着ランプ３０は消灯しているので、Ｙ定着光が照射されることはない。
【００３５】
第１プリント系１０では、シアン画像の記録が終了すると、カラー感熱記録紙１１１は排紙される。第２プリント系１１では、マゼンタ画像の熱記録及び光定着が終了すると、カラー感熱記録紙２１１はいったん巻き戻された後、シアン画像の熱記録が開始される。そしてシアン画像の熱記録が終了すると排紙される。
【００３６】
次に、本実施形態による作用を説明する。オペレータは、モード選択を行った後、プリント指示をする。１枚印画モードが選択された場合には、第１プリント系１０だけが動作して、カラー感熱記録紙１１１が給紙される。給紙されたカラー感熱記録紙１１１に対して、イエロー画像の熱記録及び光定着、マゼンタ画像の熱記録及び光定着、シアン画像の熱記録が順次なされる。フルカラー画像が記録された記録済み部分はシートにカットされて排紙される。
【００３７】
２枚印画モードが選択された場合には、カラー感熱プリンタ１は、まず、第１プリント系１０のプリント処理を開始させる。そして、カラー感熱記録紙１１１へのイエロー画像の熱記録及び光定着が終了し、マゼンタ画像の熱記録及び光定着を開始するところで、第１プリント系１０から１色分遅れて、第２プリント系１１のプリント処理を開始させる。第１プリント系１０ではマゼンタ画像の熱記録及び光定着が開始され、これと平行して、第２プリント系１１ではイエロー画像の熱記録及び光定着が開始される。
【００３８】
シャッタ３７はＭ定着位置にあり、シャッタ３８はＹ定着位置にあるから、Ｙ用定着ランプ３０が放射するイエロー定着光は、第１Ｙ用開口３３ａから搬送路１３３に向けて照射され、他方、Ｍ用定着ランプ３１が放射するマゼンタ定着光は、第２Ｍ用開口３４ｂから搬送路２３３に向けて照射される。このように、各定着ランプ３０，３１からの各定着光は、各搬送路１３３，２３３の一方にのみ照射されるから、定着光量が不足することはない。
【００３９】
第１プリント系１０では、マゼンタの熱記録及び光定着が終了すると、カラー感熱記録紙１１１にシアン画像が記録されて排紙される。他方、第２プリント系１１では、イエローの熱記録及び光定着が終了すると、マゼンタの熱記録及び光定着がなされ、さらにシアン画像が記録された後、排紙される。
【００４０】
各プリント系１０，１１は、１つの記録エリアへのフルカラー画像の記録が終了したら、上述の手順によって引き続き、次の記録エリアへのプリントを開始する。プリント処理は、指定したプリント枚数分の処理が終了まで続けられる。
【００４１】
上記実施形態では、１枚印画モードの際に、第１プリント系を使用したが、第２プリント系を使用してもよい。また、各プリント系を交互に使用してもよい。この場合は、前回使用したプリント系を制御部に記憶させておき、次回のプリント時には、前回使用しなかったプリント系を使用させるようにする。こうすれば、サーマルヘッドなど各プリント系を構成する部品の使用量を均一にすることができるので、部品の消耗を同じ程度にすることができる。
【００４２】
また、上記実施形態では、ランプボックスの上方及び下方に１つずつシャッタを設け、下方のシャッタで、ランプボックスの下方にある第１Ｙ用開口と第１Ｍ用開口とを選択的に開閉し、上方のシャッタで第２Ｙ用開口と第２Ｍ用開口とを選択的に開閉する例で説明したが、各開口毎に１枚ずつシャッタを設けてもよい。
【００４３】
上記実施形態では、照射開口が形成されたランプボックスと、照射開口を開閉するシャッタとを設け、これらによって定着ランプ３０，３１の照射方向を切り替える例で説明しているが、図６のカラー感熱プリンタ１に示すように、略Ｕ字形のランプハウジング５０、５１を用いて、各ランプハウジング５０，５１を回転させることにより、定着ランプ３０，３１の照射方向を切り替えてもよい。なお、図６において、上記実施形態と同一の部材については同一の符号を付し、説明を省略する。
【００４４】
各ランプハウジング５０，５１は、それぞれ照射開口５０ａ，５１ａが形成されており、この各照射開口５０ａ，５１ａを、搬送路１３３へ向ける第１位置と、搬送路２３３へ向ける第２位置との間で回動自在に設けられている。各ランプハウジング５０，５１の内周面は、定着光を搬送路へ向けて反射する反射面となっている。各ランプハウジング５０，５１はモータ５００、５１０によって駆動される。制御部５２は、各プリント系１０，１１のプリント処理の手順に合わせて、各ランプハウジング５０，５１の向きを制御する。なお、この例では、ランプハウジングのみを回転させているが、ランプハウジングとともに定着ランプを回転させてもよい。
【００４５】
上記実施形態では、カラー感熱プリンタを例に説明しているが、本発明はこれに限られず、モノクロ感熱プリンタにおいても実施可能である。モノクロの場合は、１色しかないので、一方のプリント系で記録及び定着をした後、他方のプリント系で記録及び定着を行う、というように２つのプリント系で交互にプリントがなされる。また、上記実施形態では、１つのサーマルヘッドで複数の感熱発色層に対して画像を記録するカラー感熱プリンタの例で説明しているが、これに限られず、イエロー，マゼンタ，シアンの各色毎に複数のサーマルヘッドが搬送路上に並べて配置され、カラー感熱記録紙を１方向に搬送させながら、複数の記録エリアに対してほぼ同時に熱記録及び光定着を行ういわゆる３ヘッド１パス方式のカラー感熱プリンタに対しても実施可能である。
【００４６】
なお、上記実施形態では、記録紙ロールを用いているが、本発明はこれに限らず、予め所定の大きさのシートにカットされた記録紙を用いてもよい。この場合は、記録紙ロールの代わりに、複数枚の記録紙を収納する記録紙マガジンが用いられる。また、イエロー及びマゼンタの各色用の定着ランプを１本ずつ設けた例で説明しているが、各色毎に複数本のランプを設けてもよい。
【００４７】
【発明の効果】
以上のように、本発明の感熱プリンタによれば、定着ランプを兼用する第１及び第２の各プリント系に対して定着ランプから放射される光を前記各プリント系に向けて照射する第１及び第２の照射開口を備えたランプボックスと、前記第１及び第２の照射開口を選択的に開閉するシャッタ機構とを設けたことと、前記各プリント系は位相をずらしてプリントを行うことによって、前記定着ランプから放射された紫外線を前記各搬送路の一方に集中して照射することができる。これにより、定着ランプから照射される紫外線を効率良く利用することができ、複数枚の印画を行う場合のプリント時間の短縮を図ることができる。
【００４８】
また、前記定着ランプから放射される光を照射する照射開口を備え、前記照射開口が前記第１の搬送路と対面する第１の位置と、前記照射開口が前記第２の搬送路と対面する第２の位置との間で変異自在なランプボックスを設けても、同様の効果を得ることができる。
【図面の簡単な説明】
【図１】本発明の実施形態の１つであるカラー感熱プリンタの構成を示す概略図である。
【図２】カラー感熱記録紙の層構造を示す説明図である。
【図３】ランプボックス及び搬送路の構成を示す説明図である。
【図４】ランプボックス及び反射板の構成を示す斜視図である。
【図５】図１のカラー感熱プリンタにおいての作用を表した説明図である。
【図６】ランプハウジングを回転させて照射方向を切り替えるカラー感熱プリンタの構成を示す概略図である。
【符号の説明】
１０　第１プリント系
１１　第２プリント系
２９　定着装置
３０　イエロー用定着ランプ
３１　マゼンダ用定着ランプ
３２　ランプボックス
３３，３４　ランプ室
３３ａ　イエロー用第１開口
３３ｂ　イエロー用第２開口
３４ａ　マゼンダ用第１開口
３４ｂ　マゼンダ用第２開口
３７，３８　　反射板
１１１，２１１　カラー感熱記録紙
１１８，２１８　サーマルヘッド
１３３，２３３　搬送路
【図１】
2004001304.tif 000003
【図２】
2004001304.tif 000004
【図３】
2004001304.tif 000005
【図４】
2004001304.tif 000006
【図５】
2004001304.tif 000007
【図６】
2004001304.tif 000008